(57)【要約】開示されたディスクカートリッジは、ディスクが収納されるケースと、ケースに設置されかつ外部に開放された開放ホールが形成されたカバーと、ケース内のディスクの下方に移動可能に設置されてそのケースに形成された開口ホールを開閉するシャッターとを含み、そのシャッターに所定角度に傾いた傾斜面を持ってディスクの外周側の非情報領域を支持するように突出した突出部が設けられていて、シャッターが開放される時にはディスクが傾斜面に沿って降下し、シャッターが閉鎖される時にはディスクが傾斜面に沿って上昇してカバーの開放ホール周囲に密着するように構成される。このような構成によれば、ケース内のシャッターがディスクの非情報領域にのみ接触するように構成されていて、開口ホールの開閉のための動作時にもディスク情報領域を安全に保存できるだけでなく、シャッターが閉鎖された状態ではディスクがカバーの開放ホール周囲に密着するため、その開放ホールを通じたホコリの流入可能性を減らしうる。
2005516339.tif 000002
【特許請求の範囲】
【請求項１】
ディスクが収納されるケースと、前記ケースに設置されかつ外部に開放された開放ホールが形成されたカバーと、前記ケース内のディスクの下方に移動可能に設置されてそのケースに形成された開口ホールを開閉するシャッターとを含むディスクカートリッジにおいて、
前記シャッターには、所定角度に傾いた傾斜面を持って前記ディスクの外周側の非情報領域を支持するように突出した突出部が設けられ、
前記シャッターの開放時にはディスクが前記傾斜面に沿って降下し、
前記シャッターの閉鎖時にはディスクが前記傾斜面に沿って上昇して前記カバーの開放ホール周囲に密着することを特徴とするディスクカートリッジ。
【請求項２】
前記開放ホール周囲にはシーリング部材が設置されて、このシーリング部材にディスクが密着することを特徴とする請求項１に記載のディスクカートリッジ。
【請求項３】
前記シーリング部材は前記ディスクの密着力を受けることによって弾性変形が可能な材質よりなることを特徴とする請求項２に記載のディスクカートリッジ。
【請求項４】
前記シーリング部材は不織布とゴムのうち選択されたいずれか一つよりなることを特徴とする請求項３に記載のディスクカートリッジ。
【請求項５】
前記カバーは前記ケースに回動しつつ開閉可能に設置されたことを特徴とする請求項１に記載のディスクカートリッジ。
【請求項６】
前記開放ホールはその面積が前記ディスクの面積より小さく形成されたことを特徴とする請求項５に記載のディスクカートリッジ。
【請求項７】
前記カバーとケースのうちいずれか一側にはロッキング突起が設けられ、他の一側にはそのロッキング突起が弾力的に結合される結合孔が設けられたことを特徴とする請求項５に記載のディスクカートリッジ。
【請求項８】
前記ケースには前記傾斜面に沿って降下するディスクの内周側の非情報領域を支持する突起が設けられたことを特徴とする請求項１に記載のディスクカートリッジ。
【発明の詳細な説明】
【技術分野】
【０００１】
本発明は情報記録／再生媒体であるディスクを収納してホコリや指紋のような汚染源からその記録面を保護するディスクカートリッジに関する。
【背景技術】
【０００２】
一般的にディスクカートリッジは、情報記録／再生媒体のディスクを収納してディスクドライブ装置に装着されるものである。図１に図示されたように従来のディスクカートリッジは、ディスクＤを収納するケース１０１と、ケース１０１内に回転自在に設置されてディスクドライブ装置のピックアップ（図示せず）がディスクＤにアクセス可能にケース１０１に形成された開口ホール１０２を選択的に開閉するシャッター１１０及び、ケース１０１上部に結合されるカバー１０３を具備する。参照符号１０３ｂはディスクＤの交換のためにカバー１０３に形成された開放ホールを示し、参照符号１０３ａは開放ホール１０３ｂを通じてディスクＤが離脱しないようにカバー１０３に摺動可能に設置された離脱防止レバーを示す。したがって、ディスクＤの装着時には離脱防止レバー１０３ａをディスクＤと干渉しないように後進させ、装着が完了した後には離脱防止レバー１０３ａを図面のように前進させてその先端部への開放ホール１０３ｂを通じたディスクＤの離脱を防止する。
【０００３】
このようなディスクが装着されたディスクカートリッジ１００をディスクドライブ装置に進入させれば、図２Ａに図示されたように、ディスクドライブ装置に設置された開放レバー１２０がロッキング片１１１ａを先ず押してシャッター１１０の突起１１１ｃとケース１０１の溝１０１ａ間のロッキングを解除し、次いで、図２Ｂに図示されたように干渉片１１１ｂを押して回転させる。シャッター１１０は左右回転軸１１０ａにそれぞれ回転自在に設置されて連動ねじ部１１３で噛み合った第１、２シャッター部１１１、１１２で構成されていて、干渉片１１１ｂと一体に連結された第１シャッター部１１１が時計回り方向に回転すれば第２シャッター部１１２は反時計回り方向に回転し、それにより第１、２シャッター部１１１、１１２の間が離れつつ開口ホール１０２が開放される。したがって、以後には開放された開口ホール１０２を通じてディスクドライブ装置のピックアップ（図示せず）がディスクＤの記録面にアクセスして情報の記録及び／または再生作業を行う。そして、図面には示されていないが、第１シャッター部１１１とケース１０１の底面間にはその第１シャッター部１１１を図面の反時計回り方向、すなわち、開口ホール１０２を閉鎖する方向に付勢するトーションバネが回転軸１１０ａに設置されていて、開放レバー１２０により加えられた力が除去されればシャッター１１０を元来の閉鎖状態に復帰させる。
【０００４】
ところで、このような構成では、ケース１０１内にシャッター１１０を設置し、そのシャッター１１０上にディスクＤを載せるために、シャッター１１０の開閉動作時にディスクの記録面（図面のディスクの下面）とシャッター１１０間に面接触が発生して、ディスクの記録面にスクラッチなどの損傷がする恐れがある。
【０００５】
また、カバー１０３の開放ホール１０３ｂを通じてホコリが流入される恐れがある。もちろん、開放ホール１０３ｂに向っているディスクＤの上面は記録面ではないために直接的にホコリによる汚染はないが、ディスクＤとカバー１０３間の隙間を通じてホコリが入ってシャッター１１０上に溜まれば、前記のような開閉動作時にシャッター１１０上にあったホコリが２次的にディスクの記録面についてしまう。
【０００６】
したがって、前記のようにシャッター１１０の開閉中にもディスクの記録面を保護できる構造が要求されている。
【発明の開示】
【発明が解決しようとする課題】
【０００７】
本発明は前記の必要性を勘案してなされたものであり、ケース内に設置されたシャッターの開閉動作時にもディスクの記録面を汚染源から保護できるように改善されたディスクカートリッジを提供するところにその目的がある。
【課題を解決するための手段】
【０００８】
前記の目的を達成するための本発明は、ディスクが収納されるケースと、前記ケースに設置されかつ外部に開放された開放ホールが形成されたカバーと、前記ケース内のディスクの下方に移動可能に設置されてそのケースに形成された開口ホールを開閉するシャッターと、を含むディスクカートリッジにおいて、前記シャッターには、所定角度に傾いた傾斜面を持って前記ディスクの外周側の非情報領域を支持するように突出した突出部が設けられ、前記シャッターが開放される時にはディスクが前記傾斜面に沿って降下し、前記シャッターが閉鎖される時にはディスクが前記傾斜面に沿って上昇して前記カバーの開放ホール周囲に密着することを特徴とする。
【発明を実施するための最良の形態】
【０００９】
図３及び図４は本発明によるディスクカートリッジの分離状態および結合状態を示したものである。
【００１０】
図面を参照すれば、ディスクカートリッジはディスクＤを収納するケース２０１と、前記ディスクＤの下方でケース２０１に形成された開口ホール２０２を開閉するシャッター２１０、そしてケース２０１の上面を覆うカバー２０３を具備している。参照符号２４０はカバー２０３の開放ホール２０３ａ周囲に付着されるシーリング部材の不織布を示す。
【００１１】
まず、シャッター２１０は、ケース２０１内部に相互対称的に回転自在に設置された第１、２シャッター部２１１、２１２よりなる。したがって、第１、２シャッター部２１１、２１２が互いに離れる方向に回転すれば開口ホール２０２が開放され（図７参照）、逆に互い集まる方向に回転すれば開口ホール２０２が閉鎖される（図５参照）。参照符号２１３は第１、２シャッター部２１１、２１２を連動可能に連結する連動ねじ部であって、これにより第１シャッター部２１１が回転すれば、第２シャッター部２１２はそれと対称になる方向に共に回転する。そして、第１、２シャッター部２１１、２１２とケース２０１の底面間には開口ホール２０２を閉鎖する方向にそれらを付勢するトーションバネ２０４が設置されていて、開放レバー１２０により加えられた力が除去されればシャッター２１０を元来の閉鎖状態に復帰させる。
【００１２】
そして、第１、２シャッター部２１１、２１２には前記ディスクＤの外周側枠部Ｄ３に接触する突出部２２０、２３０が形成されている。すなわち、前記ディスクＤには内周側のクランプ領域Ｄ１と、情報が記録される情報領域Ｄ２及び、情報領域Ｄ２外郭の枠部Ｄ３が設けられているが、それらのうち非情報領域の一つである枠部Ｄ３を突出部２２０、２３０が支持することによって、情報領域Ｄ２とシャッター２１０との接触を回避できる。そして、この突出部２２０、２３０は、図８に図示されたように、ディスクＤの中心側に向って傾いて下がった傾斜面２２１、２３１を具備する。したがって、図８の点線のようにシャッター２１１、２１２が閉鎖されている時にはディスクＤの枠部Ｄ３が突出部２２０、２３０の上端に支持されているが、実線のようにシャッター２１１、２１２が開放されればディスクＤが傾斜面２２１、２３１に沿って降下する。降下したディスクＤはケース２０１に形成された複数の突起２０５により内周側クランプ領域Ｄ１が支持される。逆に上昇したディスクＤは図６に図示されたように枠部Ｄ３が前記シーリング部材の不織布２４０に密着する。これはカバー２０３とディスクＤ枠部Ｄ３間の隙間を閉塞してホコリなどの流入を遮断するのに有効な構成であって、不織布２４０以外にもゴムのようにディスクＤの密着力を受けて弾性変形が可能な軟らかい材質のものが採用できる。
【００１３】
そして、カバー２０３の開放ホール２０３ａはディスクＤ直径より小さく形成されてディスクＤが開放ホール２０３ａを通じて離脱されることを防止する。その代わりにディスクＤを交換する時には図４のようにカバー２０３を回動させて開放した後、そのケース２０１内に収納されたディスクＤを取り出して新しいディスクを装着する。参照符号２０３ｂおよび２０１ｂはカバー２０３およびケース２０１にそれぞれ設けられてカバー２０３を閉鎖する時に相互弾力的に結合されるロッキング突起及び結合孔を示す。
【００１４】
このようにディスクＤが装着されたディスクカートリッジは図５及び図６に示されたように、シャッター２１０およびカバー２０３がいずれも閉鎖された状態でディスクドライブ装置内に進入する。ディスクカートリッジが進入すれば、図７に示されたようにディスクドライブ装置に設置された開放レバー１２０がロッキング片２１１ａを押して突起２１１ｃと溝２０１ａとのロッキングを解除した後、干渉片２１１ｂを押して第１シャッター部２１１を図面の反時計回り方向に回転させる。すると、第２シャッター部２１２は連動ねじ部２１３により時計回り方向に回転し、これにより第１、２シャッター部２１１、２１２の間に開口ホール２０２が開放される。ところで、この時、前記ディスクＤには第１、２シャッター部２１１、２１２の突出部２２０、２３０のみ接触しており、その接触部位も非情報領域であるディスクＤの枠部Ｄ３に限定されているために、シャッター２１０の開閉動作時にも記録面の情報領域が損傷する恐れはほとんどない。そして、シャッター２１０が開放されるにつれてディスクＤは突出部２２０、２３０の傾斜面２２１、２３１に沿って降下して突起２０５上に一時的に保持される。この状態で開放された開口ホール２０２を通じてディスクドライブ装置のディスク駆動用ターンテーブル（図示せず）が進入し、カバー２０３の開放ホール２０３ａを通じてクランパー（図示せず）が進入して突起２０５上に保持されていたディスクＤをクランプする。以後、ターンテーブルの回転駆動と共にディスクＤへ／からの記録／再生作業が進む。
【００１５】
一方、記録／再生作業が終了して前記ターンテーブルおよびクランパーによるクランプが解除されれば、ディスクＤは一応突起２０５上にクランプ領域Ｄ１が保持された状態になる。この状態でディスクカートリッジがディスクドライブ装置から離脱されれば第１、２シャッター部２１１、２１２が元来の位置に回動されて開口ホール２０２が閉鎖されるが、この時、ディスクＤの外周側枠部Ｄ３が突出部２２０、２３０の傾斜面２２１、２３１に沿って上昇して図５及び図６に図示された状態に戻る。この時にもやはり情報領域Ｄ２にはシャッター２１０が接触しないつつ閉鎖動作がなされるために、情報領域Ｄ２は安全に保存される。また、この状態では前述したようにディスクＤの枠部Ｄ３が不織布２４０を介在してカバー２０３の開放ホール２０３ａ周囲に密着しているために、その隙間にホコリなどの汚染物が流入される可能性も少なくなる。
【００１６】
一方、本実施例では開放ホール２０３ａをディスクＤの直径より小径の円形ホールで構成して、従来のように別途の離脱防止レバー１０３ａ（図１参照）を設置せずとも開放ホール２０３ａを通じたディスクＤの離脱を防止できる。しかし、ディスクＤの離脱を防止できるならばそれ以外にも多様な形態の開放ホールが採用できる。例えば、図９のようにカバー２０３’の中央にディスクＤより小さな面積の方形の開放ホール２０３ａ’を形成してその開放ホール２０３ａ’にディスクＤが離脱されないようにすることもある。ただし、ディスククランプのためにクランパーが進入する開放面積は確保する必要がある。
【００１７】
また、前記実施例では第１、２シャッター部２１１、２１２が閉鎖された時に中央に穴が形成されるようにそれぞれに半円型切開部２１１ｄ、２１２ｄが形成されたことを例示している（図８参照）。これはカバー２０３を開いてディスクＤを取り出す時、ユーザーがディスクＤの中央ホールに指を入れて取り出し容易にシャッター２１０にも穴を形成したものである。すなわち、シャッター２１０にも穴が形成されればディスクＤの中央ホールを通じて指をさらに深く入れた後に曲げることができてディスクＤを取り出しやすいからである。しかし、シャッター２１０の下方からディスクＤの記録面にくっつくホコリを減らすためには、ディスクＤの取り出し時に若干の不便さがある図１０のような構造も可能である。これは第１、２シャッター部２１１、２１２で開閉動作時に突起２０５と干渉する部分のみ溝を掘っておき、残りの部分は閉塞させたものである。したがって、すこしでもディスクＤ記録面にホコリがくっつく可能性を減らすためには図１０のように半円型切開部をなくす方案も選択できる。
【産業上の利用可能性】
【００１８】
前述したような本発明のディスクカートリッジは次のような効果を持つ。
【００１９】
第１に、ケース内のシャッターがディスクの非情報領域にのみ接触するように構成されているので、開口ホールの開閉のための動作時にもディスク情報領域を安全に保存できる。
【００２０】
第２に、シャッターが閉鎖された状態ではディスクの外周側枠部がカバーの開放ホール周囲のシーリング部材に密着するために、ホコリが流入される隙間を閉塞することによって記録面が汚れる可能性を減らすことができる。
【００２１】
第３に、カバーを回動式に開閉可能にケースに設置してディスク交換を容易にしつつ、開放ホール面積をディスク面積より小さくして別途の離脱防止用部材を設置しなくてもディスクを安全に収納できる。
【図面の簡単な説明】
【００２２】
【図１】従来のディスクカートリッジを示した斜視図である。
【図２Ａ】図１に示されたディスクカートリッジのシャッター開閉状態を示した平面図である。
【図２Ｂ】図１に示されたディスクカートリッジのシャッター開閉状態を示した平面図である。
【図３】本発明によるディスクカートリッジの分離斜視図である。
【図４】図３の結合状態を示した図である。
【図５】図３に示されたディスクカートリッジのシャッター閉鎖状態を示した平面図である。
【図６】図５のVI−VI線の断面図である。
【図７】図３に示されたディスクカートリッジのシャッター開放状態を示した平面図である。
【図８】図３に示されたディスクカートリッジのシャッター開閉によるディスク昇降動作を示した図である。
【図９】図３に示されたカバーの変形可能な例を示した図である。
【図１０】図３に示されたシャッターの変形可能な例を示した図である。
【図１】
2005516339.tif 000003
【図２Ａ】
2005516339.tif 000004
【図２Ｂ】
2005516339.tif 000005
【図３】
2005516339.tif 000006
【図４】
2005516339.tif 000007
【図５】
2005516339.tif 000008
【図６】
2005516339.tif 000009
【図７】
2005516339.tif 000010
【図８】
2005516339.tif 000011
【図９】
2005516339.tif 000012
【図１０】
2005516339.tif 000013
【国際調査報告】
2005516339.tif 000014